(57)【要約】【課題】入力される映像信号が切り替えられたとき、高速に新しい同期確立を行うと共に伝送エラーが発生しても同期を安定に保持する。【解決手段】入力されたディジタル映像信号のＥＡＶの第１ワードから第３ワードまでを検出しそのタイミングを知らせるＥＡＶ検出回路１０５と、これを基に水平同期信号を生成する水平同期保護回路１と、水平同期信号を基に入力映像信号のＦビット及びＶビットの値を検出・出力するＦＶビット検出回路３と、このＦＶビット検出回路の出力値を基に垂直同期信号を生成する垂直同期保護回路２とで構成され、水平同期保護回路１は３ライン連続して同じ位置に入力パルスがあった場合にのみ内部のカウンタをリセットし、垂直同期保護回路２は水平同期信号に位相変化があった場合にのみ、ＦＶビット検出回路３から入力される値を基に生成したラインナンバーの値を内部のカウンタにロードする。【選択図】　図１
2004096612.tif 000002
【特許請求の範囲】
【請求項１】
水平同期パターン及び垂直方向の位置情報が付加されたディジタル映像信号から水平同期パターンを検出しこの水平同期パターンのタイミングを示す水平タイミングパルスを出力する水平同期検出回路と、前記水平タイミングパルスが水平走査周期毎に複数回連続したときのみ前記水平タイミングパルスの位置を基に水平基準位相を更新して前記ディジタル映像信号の水平同期信号を生成する水平同期保護回路と、前記水平同期信号に基づき前記ディジタル映像信号から前記垂直方向の位置情報を検出する垂直情報抽出回路と、前記水平同期信号の位相が変化した場合のみ前記垂直方向の位置情報を基に垂直基準位相を更新し前記ディジタル映像信号の垂直同期信号を生成する垂直同期保護回路とを具備することを特徴とするディジタル映像信号の受信装置。
【請求項２】
水平同期パターン及び垂直方向の位置情報が付加されたディジタル映像信号から水平同期パターンを検出しこの水平同期パターンのタイミングを示す水平タイミングパルスを出力する水平同期検出回路と、前記水平タイミングパルスが水平走査周期毎に複数回連続したときのみ前記水平タイミングパルスの位置を基に水平基準位相を更新して前記ディジタル映像信号の水平同期信号を生成する水平同期保護回路と、前記水平同期信号に基づき前記ディジタル映像信号から前記垂直方向の位置情報を検出する垂直情報抽出回路と、前記ディジタル映像信号の垂直同期信号を生成する垂直同期保護回路とを具備し、前記水平同期信号の位相が変化した場合、あるいは前記垂直方向の位置情報の示す位相と前記垂直同期信号の間の位相関係が変化した場合のみ、前記垂直方向の位置情報を基に垂直基準位相を更新して前記ディジタル映像信号の垂直同期信号を生成することを特徴とするディジタル映像信号の受信装置。
【請求項３】
水平同期パターン及びラインナンバーが付加されたディジタル映像信号から水平同期パターンを検出しこの水平同期パターンのタイミングを示す水平タイミングパルスを出力する水平同期検出回路と、前記水平タイミングパルスが水平走査周期毎に複数回連続したときのみ前記水平タイミングパルスの位置を基に水平基準位相を更新して前記ディジタル映像信号の水平同期信号を生成する水平同期保護回路と、前記水平同期信号に基づき前記ディジタル映像信号から前記ラインナンバーを検出する垂直情報抽出回路と、前記水平同期信号の位相が変化した場合のみ前記ラインナンバーを基に垂直基準位相を更新し前記ディジタル映像信号の垂直同期信号を生成する垂直同期保護回路とを具備することを特徴とするディジタル映像信号の受信装置。
【請求項４】
水平同期パターン及びラインナンバーが付加されたディジタル映像信号から水平同期パターンを検出しこの水平同期パターンのタイミングを示す水平タイミングパルスを出力する水平同期検出回路と、前記水平タイミングパルスが水平走査周期毎に複数回連続したときのみ前記水平タイミングパルスの位置を基に水平基準位相を更新して前記ディジタル映像信号の水平同期信号を生成する水平同期保護回路と、前記水平同期信号に基づき前記ディジタル映像信号から前記ラインナンバーを検出する垂直情報抽出回路と、前記ディジタル映像信号の垂直同期信号を生成する垂直同期保護回路とを具備し、前記水平同期信号の位相が変化した場合、あるいは前記ラインナンバーの示す位相と前記垂直同期信号の間の位相関係が変化した場合のみ、前記ラインナンバーを基に垂直基準位相を更新して前記ディジタル映像信号の垂直同期信号を生成することを特徴とするディジタル映像信号の受信装置。
【請求項５】
前記水平同期保護回路は、前記ディジタル映像信号の水平走査期間を周期に出力値が巡回する水平カウンタを有し、前記水平カウンタは前記水平タイミングパルスが複数の連続する前記水平走査期間の間で一致する場合のみ前記水平カウンタに一旦所定の値を入力することを特徴とする請求項１から請求項４までのいずれかに記載のディジタル映像信号の受信装置。
【請求項６】
前記垂直同期保護回路は、前記水平走査期間毎に出力値が変化し前記ディジタル映像信号の画像フレーム周期でこの出力値が巡回する垂直カウンタを有し、前記水平同期信号の位相が変化した場合にのみ前記ラインナンバーの値を一旦前記垂直カウンタに入力することを特徴とする請求項１または請求項３のいずれかに記載のディジタル映像信号の受信装置。
【請求項７】
前記垂直同期保護回路は、前記水平走査期間毎に出力値が変化し前記ディジタル映像信号の画像フレーム周期でこの出力値が巡回する垂直カウンタを有し、前記垂直カウンタの出力値と前記ラインナンバーの値を比較し複数回不一致が発生した場合、あるいは前記水平同期信号の位相が変化した場合にのみ前記ラインナンバーの値を一旦前記垂直カウンタに入力することを特徴とする請求項２または請求項４のいずれかに記載のディジタル映像信号の受信装置。
【請求項８】
前記水平同期パターンがＢＴＡ（放送技術開発評議会）Ｓ−００２Ｂ規格あるいはＳＭＰＴＥ２６７Ｍ規格のＥＡＶの、第１ワードと第２ワードと第３ワードのいずれかを含むことを特徴とする請求項１から請求項８までのいずれかに記載のディジタル映像信号の受信装置。
【請求項９】
前記垂直方向の位置情報がＢＴＡ（放送技術開発評議会）　Ｓ−００２Ｂ規格あるいはＢＴＡ　Ｓ−００４Ｂ規格あるいはＳＭＰＴＥ（全米映画テレビジョン技術者協会）　２４４Ｍ規格あるいはＳＭＰＴＥ　２６７Ｍ規格のうちのいずれかのＥＡＶのＦビット及びＶビットであることを特徴とする請求項１または請求項２のいずれかに記載のディジタル映像信号の受信装置。
【請求項１０】
前記ラインナンバーがＢＴＡ（放送技術開発評議会）Ｓ−００２Ｂ規格あるいはＢＴＡ　Ｓ−００４Ｂ規格のラインナンバーであることを特徴とする請求項３または請求項４のいずれかに記載のディジタル映像信号の受信装置。
【発明の詳細な説明】
【０００１】
【発明の属する技術分野】
本発明は、他の機器から伝送されてくるディジタル映像信号を受信してその同期確立を行うディジタル映像信号の受信装置に関するものである。
【０００２】
【従来の技術】
従来、放送局内ではスイッチャ、ＶＴＲ、カメラなどのディジタル機器の間をケーブルで接続し、一方の機器から他方の機器へディジタル映像信号を伝送することがよく行われている。ディジタル映像信号は通常、８ビットあるいは１０ビットに量子化されたものが伝送され、これらビットを１ビット化して伝送するシリアル伝送、あるいはこれら複数ビットを独立に伝送するパラレル伝送のいずれかが用いられる。いずれの場合でも、これら放送機器間のディジタル映像信号の伝送は、標準テレビ方式（ＳＤＴＶ）ではＳＭＰＴＥ（全米映画テレビジョン技術者協会）の１２５Ｍ、２６７Ｍ、２５９Ｍ、２４４Ｍで、また、高品位テレビ方式（ＨＤＴＶ）ではＢＴＡ（放送技術開発評議会）のＳ−００２やＳ−００４として定められたディジタルインターフェイス規格に従って行われる。以下この規格の概要について説明する。図１９の（ａ）、（ｂ）は、それぞれＳＤＴＶ、ＨＤＴＶにおける１０ビットのコンポーネントパラレル伝送規格における伝送データの配列を示し、横軸は各伝送データの走査線方向の座標、縦軸は各データの量子化ビットを示す。この図で、ＳＤＴＶでは輝度信号（Ｙ）と色差信号（Ｃ）を交互に時分割多重した１０ビットの映像信号としているのに対し、ＨＤＴＶでは輝度信号（Ｙ）と色差信号（Ｃ）をそれぞれ独立に１０ビットずつ伝送することになっている。また、この図でＥＡＶ（Ｅｎｄ　ｏｆ　Ａｃｔｉｖｅ　Ｖｉｄｅｏ）、ＳＡＶ（Ｓｔａｒｔ　ｏｆ　Ａｃｔｉｖｅ　Ｖｉｄｅｏ）はそれぞれ１水平走査期間の中の有効な映像信号の終了と開始の位置を知らせるためのものであり、第１ワードは３ＦＦ（ｈｅｘ）、第２ワードは０００（ｈｅｘ）、第３ワードは０００（ｈｅｘ）という特殊な固定のパターンである。３ＦＦ（ｈｅｘ）及び０００（ｈｅｘ）というコードはこのＥＡＶやＳＡＶ以外の伝送データとしては使用することが禁止されているので、受信側ではこれらのコードから水平の同期検出を行うことができる。図２０は、ＥＡＶ、ＳＡＶの第４ワードの内容を示す図であり、Ｆはインターレース走査におけるフィールドの区別を行うためのＦビット、Ｖは有効ラインと垂直ブランキング期間の区別を行うＶビット、ＨはＥＡＶとＳＡＶの区別を行うＨビット、Ｐ０〜Ｐ３はＦ、Ｖ、Ｈの各ビットの値の組み合わせに対応してそれぞれ一意にその値が決められたプロテクションビットである。また、ＨＤＴＶでは、図１９の（ｂ）に示すように、ＥＡＶの後にその水平走査期間の垂直ライン方向の位置を示すラインナンバーを多重することになっている。
【０００３】
以下、図面を参照しながら従来のディジタル映像信号の受信装置について説明する。パラレル伝送では伝送距離に制約があるため、通常、放送機器間では多くの場合、シリアル伝送が用いられる。図２１はそれぞれＳＤＴＶのうち総走査線数５２５本のＮＴＳＣ方式に対応したコンポーネントディジタル映像を伝送する場合の従来のディジタル映像信号の受信装置の構成図であり、１０１はシリアルディジタル映像信号を伝送するための同軸ケーブル、１０２は同軸ケーブル１０１を伝送される過程で損失を受けた伝送信号の高域成分を補正する波形等化器、１０３は波形等化器１０２から入力される信号を基に伝送前のシリアルティジタル映像信号とこれに同期したシリアルクロックを生成するリクロック回路、１０４は入力されるシリアルディジタル映像信号とシリアルクロックを基にこのシリアルディジタル映像信号のワード同期をとりシリアルデータをパラレルデータに変換すると共にこのパラレルデータに同期したパラレルクロックを出力するシリパラ変換回路、１０５は入力されるパラレルデータからＥＡＶの第１ワードから第３ワードまでの同期パターンを検出しＥＡＶの第４ワードのタイミングで１を出力するＥＡＶ検出回路であり、具体的な回路構成は例えば特開平７−６７０８４号公報などに記載されているのでここでは説明を省略する。１０６はＥＡＶ検出回路から出力されるパルスで内部のカウンタをリセットしそのカウンタ出力を基に水平同期信号を生成する水平同期信号生成回路である。１０７はＥＡＶ検出回路から入力されるパルスを基にＥＡＶの第４ワードのＦビットを検出しＦビットの値が１から０に変化する垂直ラインで１を出力するＦビット検出回路、１０８はＦビット検出回路１０７から入力されるパルスで内部の垂直カウンタをリセットしそのカウンタ出力を基に垂直同期信号を生成する垂直同期生成回路である。図２２は、水平同期信号生成回路１０６の構成図である。図２２で、１０９はシリパラ変換回路１０４で生成されるパラレルクロックをクロックにカウント動作するロード付き水平カウンタ回路であり、Ｑはカウンタ値の出力端子、ＲＥＳＥＴは１が入力されるとカウンタ値を０にリセットするリセット入力端子、ＬＯＡＤ　ＥＮＡはロードイネーブル端子、ＬＯＡＤ　ＤＡＴＡはロードデータ入力端子であり、ＬＯＡＤ　ＥＮＡに１が入力されるとＬＯＡＤ　ＤＡＴＡに入力された値がカウンタ値にセットされる。１１０はパルス生成回路であり、ＩＮ端子に入力される値がＡ端子及びＢ端子に入力される値の間にある場合は１を出力し、それ以外では０を出力する。１１１は比較回路であり、Ａ端子及びＢ端子に入力される値が一致する場合のみ１を出力する。この図で、Ｅはパラレルクロック（２７ＭＨｚ）を単位としたときの１水平走査期間中の有効映像データ数１４４０、Ｈは１水平走査期間の総データ数１７１６を意味する。図２３は、垂直同期信号生成回路１０８の構成図である。図２３で、１１２は水平走査周期でカウント動作する垂直カウンタ回路であり、Ｑはカウンタ値の出力端子、ＲＥＳＥＴは１が入力されるとカウンタ値を０にリセットするリセット入力端子、ＬＯＡＤ　ＥＮＡはロードイネーブル端子、ＬＯＡＤＤＡＴＡはロードデータ入力端子であり、ＬＯＡＤ　ＥＮＡに１が入力されるとＬＯＡＤ　ＤＡＴＡに入力された値がカウンタ値にセットされる。１１３はパルス生成回路であり、ＩＮ端子に入力される値がＡ端子及びＢ端子に入力される値の間にある場合は０を出力し、それ以外では１を出力する。１１４は比較回路であり、Ａ端子及びＢ端子に入力される値が一致する場合のみ１を出力する。
【０００４】
次に、上記のように構成された従来のディジタル映像信号の受信装置において、入力される映像信号があるタイミングで他の映像信号に切り換えられた場合の同期確立の動作について以下図面を用いて説明する。ＳＤＴＶのシリアルディジタル映像信号の信号レートは２７０Ｍｂｐｓであり、これが同軸ケーブル１０１を介して送信側から伝送され波形等化器１０２で波形等化される。リクロッカ１０３では波形等化後の信号を基にＰＬＬにより２７０ＭＨｚのシリアルクロックを生成すると共に送信前のシリアルディジタル映像信号を再生する。再生されたシリアルディジタル映像信号は、シリパラ変換回路１０３で２７ＭＨｚ、１０ビットのパラレル信号に変換され、ＥＡＶ検出回路１０５に入力される。以下、水平同期確立について、図２１、図２２、図２４を用いて説明する。図２４は水平同期検出に関連したパルスのタイミングチャートであり、横軸は時間を示す。この図で（ａ）はＥＡＶ検出回路１０５に入力されるディジタル映像信号であり、送信側から伝送される映像信号が第１の映像信号の（Ｎ＋１）ライン目の途中のあるＡというタイミングで第２の映像信号のＭライン目のある水平位置で切り換えられたことを示している。（ｂ）はこのときにＥＡＶ検出回路１０５から出力されるパルス波形であり、この図に示すように入力信号が切り換えられても長くとも２水平走査期間内で次の新しい映像信号のＥＡＶが検出される。水平同期信号生成回路１０６では、ＥＡＶ検出回路１０５から出力されるパルスが図２２のロード付き水平カウンタ回路１０９のＬＯＡＤ　ＥＮＡ端子に入力され、映像信号のＥＡＶの第４ワードのタイミングで（Ｅ＋４）という値がカウンタにセットされる。以後、映像データの１ワード毎にロード付き水平カウンタ回路１０９の出力値Ｑの値は１つずつインクリメントされていき、Ｑが（Ｈ−１）に達した時点で比較回路１１１からリセット信号が出力されてカウンタ値が０にリセットされる。こうして入力映像信号が切り換えられない限り、ロード付き水平カウンタ回路１０９の出力値は０から（Ｈ−１）までを巡回することになる。一方、パルス生成回路１１０では、このカウンタの出力が０から（Ｅ−１）までの間は１を出力し、これ以外では０を出力することから図２４の（ｃ）に示すように、映像信号の有効映像期間に１、水平ブランキング期間で０となる水平同期信号を出力することになる。従って、Ａのタイミングで入力映像信号が第１の映像信号から第２の映像信号に切り換えられた場合でも、２水平走査期間内で第２の映像信号に対応した水平同期信号が出力されることになる。
【０００５】
以下、垂直同期の確立について、図２１、図２３、図２５を用いて説明する。図２５は垂直同期検出に関連したパルスのタイミングチャートであり、横軸は時間を示す。この図２５で（ａ）は第１の映像信号のフレーム番号、（ｂ）は第１の映像信号の水平位置、（ｃ）は第１の映像信号のＦビットの値、（ｄ）は第２の映像信号のフレーム番号、（ｅ）は第２の映像信号の水平位置、（ｆ）は第２の映像信号のＦビットの値、（ｇ）は図中に示すＡのタイミングでこれら２つの映像信号を送信側で切り換えたときにＦビット検出回路１０７に入力される映像信号、（ｈ）はＦビット検出回路１０７で検出されるＦビットの値、（ｉ）はこの値を基にＦビット検出回路１０７から出力されるパルス波形、（ｊ）はこのパルスを基に垂直同期信号生成回路１０８から出力される垂直同期信号を示す。これらは第１の映像信号の、ある（Ｃ−１）フレーム目の（Ｎ＋１）ライン目の途中で、第２の映像信号の、あるＤフレーム目のＭライン目に切り換えが行われたものがＦビット検出回路１０７に入力されることを意味している。（ｈ）はこのときにＦビット検出回路１０７から出力されるパルス波形であり、この図に示すように入力信号が切り換えられても長くとも２フレーム期間内で次の新しい映像信号のＦビットの値の変化点が検出される。垂直同期信号生成回路１０８では、Ｆビット検出回路１０７から出力されるパルスが図２３の垂直カウンタ回路１１２のＬＯＡＤ　ＥＮＡ端子に入力され、映像信号の第１フィールドの先頭のタイミングで２という値がカウンタにセットされる。以後、映像データの１ライン毎に垂直カウンタ回路１１２の出力値Ｑの値は１つずつインクリメントされていき、Ｑが映像の総ライン数ＶＬ（＝５２５）に達した時点で比較回路１１４からリセット信号が出力されてカウンタ値が１にリセットされる。こうして入力映像信号が切り換えられない限り、垂直カウンタ回路１１２の出力値は１からＶＬまでを巡回することになる。一方、パルス生成回路１１３では、このカウンタの出力が１から５までの間は０を出力し、これ以外では１を出力することから図２５の（ｊ）に示すように、映像信号の第１フィールドの先頭５ラインが０、それ以外の期間で１となる垂直同期信号を出力することになる。従って、Ａのタイミングで入力映像信号が第１の映像信号から第２の映像信号に切り換えられた場合でも、２フレーム期間内で第２の映像信号に対応した垂直同期信号が出力されることになる。
【０００６】
【特許文献１】
特開平７−６７０８４号公報
【０００７】
【発明が解決しようとする課題】
しかしながら、上記従来のディジタル映像信号の受信装置では、同期確立後も常に入力映像信号を基に同期信号を生成しているため、１フレーム中のいずれかのＦビットに伝送エラーが発生した場合、本来とは異なる位置で０となる垂直同期信号を生成してしまうことになり、同期ずれや同期乱れを発生してしまうという問題を有していた。例えば、通常、放送用の映像品質を得るためには、ディジタル映像信号のエラーレートは１０＊ｅｘｐ（−９）以下である必要があり、このような条件の下で同期検出を行った場合、約１８時間に１回は垂直同期が乱れることになる。これは普段の運用の中で十分起こりうる頻度となり、特にオンエアなどでは大きな問題となる。
【０００８】
本発明は上記従来の問題点を解決するもので、入力される映像信号を切り替えたとき、高速に新しい同期確立を行うと共に、一度同期確立した後は伝送エラーの影響を受け難く、確立した同期を安定に保持することができるディジタル映像信号の受信装置を提供することを目的とする。
【０００９】
【課題を解決するための手段】
上記目的を達成するために、本発明によるディジタル映像信号の受信装置は以下のような構成を備えている。
【００１０】
第１の構成は、水平同期パターン及び垂直方向の位置情報が付加されたディジタル映像信号から水平同期パターンを検出しこの水平同期パターンのタイミングを示す水平タイミングパルスを出力する水平同期検出回路と、前記水平タイミングパルスが水平走査周期毎に複数回連続したときのみ前記水平タイミングパルスの位置を基に水平基準位相を更新して前記ディジタル映像信号の水平同期信号を生成する水平同期保護回路と、前記水平同期信号に基づき前記ディジタル映像信号から前記垂直方向の位置情報を検出する垂直情報抽出回路と、前記水平同期信号の位相が変化した場合のみ前記垂直方向の位置情報を基に垂直基準位相を更新し前記ディジタル映像信号の垂直同期信号を生成する垂直同期保護回路とを具備することを特徴とするものである。
【００１１】
第２の構成は、水平同期パターン及び垂直方向の位置情報が付加されたディジタル映像信号から水平同期パターンを検出しこの水平同期パターンのタイミングを示す水平タイミングパルスを出力する水平同期検出回路と、前記水平タイミングパルスが水平走査周期毎に複数回連続したときのみ前記水平タイミングパルスの位置を基に水平基準位相を更新して前記ディジタル映像信号の水平同期信号を生成する水平同期保護回路と、前記水平同期信号に基づき前記ディジタル映像信号から前記垂直方向の位置情報を検出する垂直情報抽出回路と、前記ディジタル映像信号の垂直同期信号を生成する垂直同期保護回路とを具備し、前記水平同期信号の位相が変化した場合、あるいは前記垂直方向の位置情報の示す位相と前記垂直同期信号の間の位相関係が変化した場合のみ、前記垂直方向の位置情報を基に垂直基準位相を更新して前記ディジタル映像信号の垂直同期信号を生成することを特徴とするものである。
【００１２】
第３の構成は、水平同期パターン及びラインナンバーが付加されたディジタル映像信号から水平同期パターンを検出しこの水平同期パターンのタイミングを示す水平タイミングパルスを出力する水平同期検出回路と、前記水平タイミングパルスが水平走査周期毎に複数回連続したときのみ前記水平タイミングパルスの位置を基に水平基準位相を更新して前記ディジタル映像信号の水平同期信号を生成する水平同期保護回路と、前記水平同期信号に基づき前記ディジタル映像信号から前記ラインナンバーを検出する垂直情報抽出回路と、前記水平同期信号の位相が変化した場合のみ前記ラインナンバーを基に垂直基準位相を更新し前記ディジタル映像信号の垂直同期信号を生成する垂直同期保護回路とを具備することを特徴とするものである。
【００１３】
第４の構成は、水平同期パターン及びラインナンバーが付加されたディジタル映像信号から水平同期パターンを検出しこの水平同期パターンのタイミングを示す水平タイミングパルスを出力する水平同期検出回路と、前記水平タイミングパルスが水平走査周期毎に複数回連続したときのみ前記水平タイミングパルスの位置を基に水平基準位相を更新して前記ディジタル映像信号の水平同期信号を生成する水平同期保護回路と、前記水平同期信号に基づき前記ディジタル映像信号から前記ラインナンバーを検出する垂直情報抽出回路と、前記ディジタル映像信号の垂直同期信号を生成する垂直同期保護回路とを具備し、前記水平同期信号の位相が変化した場合、あるいは前記ラインナンバーの示す位相と前記垂直同期信号の間の位相関係が変化した場合のみ、前記ラインナンバーを基に垂直基準位相を更新して前記ディジタル映像信号の垂直同期信号を生成することを特徴とするものである。
【００１４】
【発明の実施の形態】
以下、本発明の実施形態について、図１から図１８を参照しながら説明する。
【００１５】
（実施形態１）
図１は、ＳＤＴＶのうち総走査線数５２５本のＮＴＳＣ方式に対応したコンポーネントディジタル映像を伝送する場合の実施形態１に係るディジタル映像信号の受信装置の構成を示す図であり、図中、従来例と同じ構成要素には同じ符号を与えており、その詳細な説明は省略する。この図で、同軸ケーブル１０１を介して送信側から伝送されてくるシリアルのディジタル映像信号が波形等化器１０２に入力され、その出力がリクロック回路１０３に入力されてシリアルクロックとシリアルディジタル映像信号が再生され、これがシリパラ変換回路１０４で各ワード毎にパラレルデータに変換されると共にパラレルクロックが生成され、更にこのパラレルデータがＥＡＶ検出回路１０５に入力されるまでの構成は従来のディジタル映像信号の受信装置と同じである。また、この図で、１は水平同期保護回路、２は垂直同期保護回路、３は水平同期保護回路１から出力される水平同期信号を基に入力されるディジタル映像信号のＥＡＶのＦビット及びＶビットを検出して出力するＦＶビット検出回路である。まず、水平同期保護回路１の構成について説明する。図２は水平同期保護回路の構成図であり、４、５はシリパラ変換回路１０４で生成されるパラレルクロックをクロックとして出力値を１つずつインクリメントする水平カウンタ回路であり水平カウンタ回路４のリセット端子にはＥＡＶ検出回路１０５から出力されるパルスが、リセット信号として入力される。ここで、水平カウンタ回路４、５は１２ビットのものを用意しており０から４０９５までのカウントが可能な構成となっている。１０９は同じくパラレルクロックをクロックとしてカウンタ動作するロード付き水平カウンタ回路であるが、水平カウンタ回路４、５とは異なり、１１ビットのものを用意している。６、７、１１１はＡ端子及びＢ端子に入力される値が一致する場合のみ１を出力する比較回路であり、入力のディジタル映像信号の水平走査期間中の総データ数をＨとしてＢ端子に（Ｈ−１）という値が入力される。従って、ロード付き水平カウンタ回路１０９は出力値が（Ｈ−１）＝１７１５まで達すると０にリセットされることになる。また、８、９はアンドゲート、１１０はパルス生成回路である。次に、垂直同期保護回路２の構成について説明する。図３は垂直同期保護回路の構成図であり、１０は水平同期保護回路１から出力される水平同期信号の位相が変化した場合にその変化の直後の１水平走査期間だけ１を出力する水平位相変化検出回路であり、１１はラインナンバー生成回路である。ラインナンバー生成回路１１のＶＩＮ端子にはＦＶビット検出回路３で検出されたＦビット及びＶビットの値が入力され、これを基にＦＶビット検出回路３の入力ディジタル映像信号の垂直ライン方向の位置が１、２０、２６４、２８３のいずれかのラインナンバーに相当する位置に達した時点で、これらのラインナンバーのうち対応するラインナンバーより１だけ大きい値をＢＬＮ端子から出力し、ＨＩＮ端子に入力されるパルスのタイミングに基づいて生成した１水平走査期間だけ１となるイネーブルパルスをＥＮ端子から出力する。１１２は水平走査周期でカウント動作する垂直カウンタ回路であり、ＬＯＡＤ　ＥＮＡ端子、ＬＯＡＤ　ＤＡＴＡ端子にはそれぞれラインナンバー生成回路１１のＥＮ端子、ＢＬＮ端子がそれぞれ接続される。１１３はパルス生成回路、１１４は比較回路である。図４は水平位相変化検出回路１０の構成図であり、１３は水平同期保護回路１から出力される水平同期信号が入力されその立下りエッジ部分で１パラレルクロック期間だけ０となるエッジパルスを生成するエッジ検出回路、１４はパラレルクロックをクロックとして出力値を１つずつインクリメントする水平カウンタ、１５は比較回路、１６はエッジ検出回路１２の出力パルスがＤ入力端子に入力され比較回路１５の出力をクロック入力とするＤフリップフロップ、１７は論理レベルを反転させるインバーターである。
【００１６】
次に、上記のように構成された本実施形態のディジタル映像信号の受信装置の動作について以下図１、図２、図５、図６、図７、図８を用いて説明する。送信側から伝送されてきたシリアルディジタル映像信号がパラレルディジタル信号に変換され、これと同時にこのパラレルディジタル映像信号に同期したパラレルクロックが生成され、更に各水平走査期間毎にＥＡＶ検出回路１０５でＥＡＶが検出され、ＥＡＶの第４ワードのタイミングで１となるパルスが生成されるまでの動作は従来例と同じである。次に、水平同期保護回路１における同期確立の動作について図２、図５、図６を用いて説明する。図５は、上記入力の映像信号が第１の映像信号から第２の映像信号に図中のＡというタイミングで切り替えられたときの水平同期確立に関するパルスのタイミングチャートであり、横軸は時間を示す。ＥＡＶ検出回路１０５から出力されるパルス、すなわち図２の水平カウンタ４のリセット入力は図５の（ａ）に示すようにＡ点を境に不連続となり、その結果、アンドゲート８の出力、すなわち水平カウンタ５のリセット入力は（ｂ）に示すように第２の映像信号の（Ｍ＋２）ライン目のＥＡＶが検出されるまでは０が続くことになる。同様に、アンドゲート９の出力、すなわちロード付き水平カウンタ１０９のロードイネーブル入力は（ｃ）に示すように第２の映像信号の（Ｍ＋３）ライン目のＥＡＶが検出されるまでは０が続くことになる。一方、ロード付き水平カウンタ１０９のリセット入力は、ロードイネーブル入力に１が入力されなくても出力値Ｑが（Ｈ−１）＝１７１５に達した時点で自動的に比較回路１１１でリセット信号が生成されるので、（ｄ）に示すように第２の映像信号の（Ｍ＋２）ライン目のＥＡＶが検出されるまでは周期的に１が出力される。第２の映像信号の（Ｍ＋３）ライン目のＥＡＶ以降はロード付き水平カウンタ回路１０９のロードイネーブル入力が有効となるので、比較回路１１１から出力されるリセット信号のタイミングも（Ｍ＋２）ライン目と（Ｍ＋３）ライン目の間で不連続となる。パルス生成回路１１０ではロード付き水平カウンタ回路１０９の出力値が０から（Ｅ−１）＝１４３９までの間は１、これ以外では０となるパルスを生成することから、図５の（ｅ）に示すような水平同期信号が出力され、映像の切り替え後、４水平走査期間以内に水平同期が確立することになる。また、伝送されてきたディジタル映像信号に伝送エラーがある場合の水平同期保護回路１における同期保護の動作について、以下、図６を用いて説明する。図６は前述の図５に対応した図であり、（ａ）は伝送エラーのためＥＡＶ検出回路１０５から出力されるパルスが、本来Ｂのタイミングで１になるべきところ、Ｃで１になった場合の波形を示す。この場合、水平カウンタ回路４、５のリセット入力パルスはそれぞれ（ｂ）、（ｃ）のように数ライン分１が出力されなくなるが、ロード付き水平カウンタ回路１０９のリセット入力は、前述のように自動的に比較回路１１１でリセット信号が生成されるので、（ｄ）に示すように伝送エラー発生前後でも周期的に１が出力され、連続的リセット動作が行われる。その結果、水平同期信号は（ｅ）に示すように、伝送エラーの影響を受けることがなく安定したものとなる。図６はＥＡＶ検出回路１０５から出力されるパルスが１水平走査期間のみ影響を受けた例を示したが、Ｂのタイミング以降、ＥＡＶが検出されず一度も１が出力されない場合でも（ｅ）に示すように安定した水平同期信号が出力される。
【００１７】
次に、水平位相変化検出回路１０の動作について図４、図７を用いて説明する。図７は水平位相変化検出回路１０の動作を説明するタイミングチャートである。図７で（ａ）は水平同期保護回路１から出力される水平同期信号であり、入力ディジタル映像信号を前述のようにあるタイミングで切り替えた結果、水平同期が再確立されて図中Ｘで示すタイミングの前後でその位相が変化することを示している。（ａ）に示す水平同期信号が図４のエッジ検出回路１３に入力されると、これを基に（ｂ）に示すような、この水平同期信号の立ち下がりで１パラレルクロック分の幅だけ０となるパルスが出力される。このパルスは水平カウンタ回路１４を水平同期信号の立ち下がりのタイミングでリセットするので、各リセット後ちょうど１水平走査期間後に比較回路１５から（ｃ）に示すパルスが出力される。この（ｃ）のパルスをＤフリップフロップ１６のクロックとして（ｂ）のパルスをラッチすると（ｄ）に示すように、新しい水平同期が確立した直後にのみ１となるパルスが出力される。すなわち、入力ディジタル映像信号が切り替えられない間は、水平位相変化検出回路１０に入力される水平同期信号の位相は変化することはないので水平位相変化検出回路１０から０が出力され続け、入力ディジタル映像信号が切り替えられた直後に水平位相変化検出回路１０から１が出力される。この水平位相変化検出回路１０はラインナンバー生成回路１１に入力される。
【００１８】
次に、ラインナンバー生成回路１１の動作について図３、図８を用いて以下説明する。図８は、前述したように入力ディジタル映像信号が切り替えられたときのラインナンバー生成回路１１の動作に関するタイミングチャートである。（ａ）は入力のディジタル映像信号が第１の映像信号から第２の映像信号に切り替えられた場合の第２の映像信号の垂直ライン方向の位置を対応するラインナンバーで示したものであり、（ｂ）、（ｃ）はＦＶビット検出回路３から検出・出力されるディジタル映像信号のＦビット、Ｖビットの値でありこれらがラインナンバー生成回路１１のＶＩＮ端子に入力される。（ａ）、（ｃ）からわかるように、Ｖビットの値が０から１、あるいはその逆に１から０に変化した直後の水平走査ラインである１、２０、２６４、２８３ライン目をここでは特殊ラインと呼ぶことにする。（ｄ）に示すＲ、Ｓ、Ｔ、Ｕは、ラインナンバー生成回路１１内部でＦビットやＶビットの値を基に検出された特定ラインの位置を境界として、入力ディジタル映像信号の１フレームの期間を分割した４つの時間領域である。今、前述の水平位相変化検出回路１０から出力されるパルスが（ｅ）に示すように、Ｓ領域のタイミングで１となった場合、このタイミングで水平同期信号が新たな同期位相に遷移したと判断し、（ｆ）に示すようにＳ領域中の特殊ラインである２６４ライン目でのみ１となるパルスをＥＮ出力端子より出力すると共に、このラインナンバー２６４より１だけ大きい２６５という値をＢＬＮ端子より出力する。水平位相変化検出回路１０から出力されるパルスが１になるタイミングがＳ以外のＴ、Ｕ、Ｒの場合にはそれぞれ（ａ）の２８３、１、２０ライン目のタイミングで１となるパルス及び２８４、２、２１という値がそれぞれＥＮ出力端子、ＢＬＮ端子より出力される。また、（ｇ）に示すように、ＢＬＮ端子からは特殊ライン以外では０が出力される。
【００１９】
次に、垂直同期の確立と保護の動作について図３、図４、図７、図８、図９を用いて説明する。図９は、入力ディジタル映像信号が切り替えられたときの垂直同期の確立に関するタイミングチャートであり、図中のＡで示すタイミングで第１の映像信号から第２の映像信号に入力ディジタル映像信号が切り替えられたとする。（ａ）、（ｂ）はそれぞれ入力ディジタル映像信号のフレーム番号、ラインナンバーを示し、第１の映像信号の（Ｃ＋１）フレーム目の１５０ライン目で第２の映像信号のＤフレーム目の２６ライン目に切り替えられたことを示している。入力ディジタル映像信号が切り替えられると水平同期保護回路１から出力される水平同期信号は、前述のように４ライン以内で新しい第２の映像信号に対応したものとなり、その結果、水平位相変化検出回路１０からは（ｃ）に示すようなタイミングで１となるパルスが出力される。ラインナンバー生成回路１１では、ＦＶビット検出回路３から入力されるＦビット、Ｖビットの値から（ｃ）のパルスのタイミングがＳ領域にあることを検出し、これに対応した特殊ラインである２６４ライン目のタイミングで、（ｄ）、（ｅ）に示すイネーブル信号、ラインナンバーをそれぞれ出力する。垂直カウンタ回路１１２では、（ｄ）のパルスのタイミングで（ｅ）の値をセットするため、以後の出力値Ｑは（ｆ）に示すように第２の映像信号に対応したラインナンバーに等しい値となる。パルス生成回路１１３では、Ｑの値を参照して垂直同期信号を生成しているので、（ｇ）に示すように入力映像の切り替え後１フレーム以内で次の新しい信号に同期した垂直同期信号が生成される。ここでは入力映像信号の切り替えタイミングが第２の映像信号のＳ領域で発生した例について説明したが、他のＲ、Ｔ、Ｕのどの領域の場合でも同様にして１フレーム以内で次の新しい信号に同期した垂直同期信号が生成される。また、水平同期保護回路１から出力される水平同期信号に位相変化がない限り、すなわち、入力映像信号が切り替えられない限り、垂直カウンタ回路１１２でラインナンバーのロードは発生しないので、例えば伝送エラーにより、ＦＶビット検出回路３で検出・出力されるＦビットやＶビットに誤りがあった場合でも垂直同期信号の位相が変化することはなく、安定した位相を保つことができる。
【００２０】
以上のように、受信側で受信したディジタル映像信号からその水平及び垂直方向に関する情報を抽出し、これに基づいて動作タイミングが決定されたカウンタの出力値を基に同期信号を生成するように構成しているので、切り替え後高速に新しい同期確立を行うと共に、一度同期確立した後は伝送エラーの影響を受け難く、確立した同期を安定に保持することができる。
【００２１】
なお、上記実施形態では、入力のディジタル映像信号がＮＴＳＣ方式のコンポーネント信号である場合を例に説明したが、ＰＡＬ方式やＨＤＴＶでもよい。また、コンポジット信号である場合は、ラインナンバーＩＤをＦビットやＶビットの替わりに使うようにすることで、同様な効果が得られる。
【００２２】
なお、上記実施形態では、入力のディジタル映像信号がシリアル伝送される場合を例に説明したが、パラレル伝送の場合でも、同期のためのＥＡＶやＳＡＶが付加される位置はシリアル伝送の場合と同様であるから、受信装置においてシリパラ変換回路などが不要になるだけで、同期検出に関する動作及び効果はシリアル伝送の場合と同じである。
【００２３】
（実施形態２）
実施形態１で、（１）第１の映像信号と第２の映像信号の位相が水平方向は一致しているが垂直方向は一致していない場合と、（２）検出されたＦビットやＶビットの値に伝送エラーがあるために、ラインナンバー生成回路１１からラインナンバーを間違ったタイミングでロードしてしまった場合、の２つの場合については、入力映像切り替え後、間違った垂直方向の位相に同期確立してしまうことがある。
本実施形態は、これについての対策を施したものである。図１０は実施形態２に係るディジタル映像信号の受信装置の構成図であり、図中、従来例や実施形態１と同じ構成要素には同じ符号を与えており、ここではその詳細の説明は省略する。この図より、明らかに垂直同期保護回路１８を除いて前述の実施形態１と同じ構成である。図１１に垂直同期保護回路１８の構成図を示す。この図で、１０はオアゲート、１２はラインナンバー生成回路、１９は不一致判定回路であり、その他の構成要素は実施形態１の場合と同じである。ラインナンバー生成回路１１は、ＶＩＮ端子にＦＶビット検出回路３で検出されたＦビット及びＶビットの値が入力され、これを基にＦＶビット検出回路３の入力ディジタル映像信号の垂直ライン方向の位置が１、２０、２６４、２８３のいずれかのラインナンバーに相当する位置に達した時点で、これらのラインナンバーのうち対応するラインナンバー、及びこれより１だけ大きい値をそれぞれＡＬＮ端子、ＢＬＮ端子から出力し、ＨＩＮ端子に入力されるパルスのタイミングに基づいて生成した１水平走査期間だけ１となるイネーブルパルスをＥＮ端子から出力する。不一致判定回路１９は、Ａ入力端子に０以外の値が入力される毎にこの値とＢ入力端子に入力される値を比較し、これらが連続２回不一致であった場合に次にＡ入力端子に０以外の値が入力されたタイミングで立ち上がるパルスを出力する。
【００２４】
次に、上記のように構成された本実施形態のディジタル映像信号の受信装置の動作について以下、図１１、図１２を用いて説明する。送信側から伝送されてきたシリアルディジタル映像信号がパラレルディジタル信号に変換され、水平走査期間毎にＥＡＶ検出回路１０５でＥＡＶが検出されると同時に、ＦＶビット検出回路３でＦビット及びＶビットが検出・出力されるまでの動作は実施形態１と同じである。また、入力映像が切り替わったときについてもラインナンバー生成回路１２のＥＮ出力端子、ＢＬＮ出力端子から実施形態１のラインナンバー生成回路１１と同じパルスが出力されるので、垂直同期確立の動作そのものは同じである。
【００２５】
以下、前述した理由により、入力映像が切り替わった後、間違った垂直位相に同期確立してしまった場合の動作について、図１２を用いて説明する。図１２は間違った垂直位相に同期確立してしまった直後の本実施形態の垂直同期確立の動作を説明するタイミングチャートである。実施形態１と同様、１、２０、２６４、２８３ラインといった特殊ラインのタイミングで、（ｂ）に示すように入力映像信号の垂直位置を示すラインナンバーがラインナンバー生成回路１２から出力されるが、この図のＤ点で示すタイミングで間違った垂直位相に一旦同期確立してしまったとすると、その直後である（ａ）の２０ライン目のタイミングでは（ｃ）に示す垂直カウンタ回路１１２の出力値（図では１７０）は、（ｂ）に示すラインナンバー生成回路１２から出力される値（図では２０）とは異なる値になっていることになる。この結果、不一致判定回路１９で両者の値の不一致が検出され、（ｄ）に示すように内部のステータス値であるＫの値が０から１にインクリメントされる。以下、同様にＡ入力が次の特殊ラインである２６４になった場合でも（ｂ）と（ｃ）の比較が行われ、その結果、両者の値の不一致が再び検出され、（ｄ）に示すように不一致の回数をカウントするために内部にもつ変数Ｋの値が１から２にインクリメントされる。この段階で不一致判定回路１９は現在の垂直同期信号の位相が間違っていると判断し、更に次の特殊ラインである２８３ライン目に達した時点で（ｅ）に示すパルスを出力すると共に、判断結果Ｋの値を再び０にもどす。この時、水平方向の同期位相には何ら変化がないため、水平位相変化検出回路１０からの出力は０のままであり、ラインナンバー生成回路１２のＥＮ出力は、やはり０のままであるが、不一致判定回路１９から１が出力されるため、このときラインナンバー生成回路１２のＢＬＮ端子から出力されるラインナンバー２８４が垂直カウンタ回路１１２にロードされる。こうして（ａ）に示すように図中Ｅで示すタイミングで再び垂直カウンタ回路１１２の出力値は入力映像信号の垂直方向の位置を示す値となる。従って、垂直同期信号は（ｇ）に示すように、一旦間違った垂直位相に同期確立した後、１フレーム以内に正常な位置に同期確立することになる。このように、本実施例によると、入力映像信号を切り換えてから１フレーム以内に一旦間違った垂直位相に同期確立した場合でも、トータルで最大２フレーム以内で正常な垂直位相に同期確立することができる。また、実施形態１と同様、一度正常な位相に同期確立した後、伝送エラーの影響を受けずに安定した同期位相を維持することができる。
【００２６】
（実施形態３）
図１３は実施形態３に係るディジタル映像信号の受信装置の構成図であり、図中、従来例や前述の実施形態と同じ構成要素には同じ符号を与えており、ここではその詳細の説明は省略する。この実施形態では、入力ディジタル映像信号として、総走査線数が１１２５本のＨＤＴＶ信号のコンポーネンシリアル信号を考えることとする。また、この図より、明らかに垂直同期保護回路２０とラインナンバー検出回路２１を除いて前述の実施形態１と同じ構成である。ラインナンバー検出回路２１は、前述のＦＶビット検出回路３と同様、水平同期保護回路１から出力される水平同期信号に基づいて各ライン毎に、ＥＡＶの後に付加された２ワードのラインナンバー情報を抽出し、次のラインに相当したラインナンバーを出力する。図１４に垂直同期保護回路２０の構成図を示す。この図に示すように、前述の実施形態１の垂直同期保護回路２のラインナンバー生成回路１１を削除した構成である。
次に、上記のように構成された本実施形態のディジタル映像信号の受信装置の動作について以下、図１４、図１５を用いて説明する。図１５は、入力ディジタル映像信号が切り替えられたときの垂直同期の確立に関するタイミングチャートであり、図中のＡで示すタイミングで第１の映像信号から第２の映像信号に入力ディジタル映像信号が切り替えられたとする。（ａ）、（ｂ）はそれぞれ入力ディジタル映像信号のフレーム番号、ラインナンバーを示し、第１の映像信号の（Ｃ＋１）フレーム目の１５０ライン目で第２の映像信号のＤフレーム目の２６ライン目に切り替えられたことを示している。入力ディジタル映像信号が切り替えられると水平同期保護回路１から出力される水平同期信号は、前述のように４ライン以内で新しい第２の映像信号に対応したものとなり、その結果、水平位相変化検出回路１０からは（ｃ）に示すようなタイミングで１となるパルスが出力される。このパルスは垂直カウンタ回路１１２のＬＯＡＤ　ＥＮＡ端子に入力されるため、このタイミングでラインナンバー検出回路２１から入力される３０というラインナンバーがロードされ、（ｅ）に示すカウンタ出力となり、（ｆ）に示すように１フレーム以内に第２の映像信号に対応した垂直同期が得られる。このように、本発明によれば、入力映像信号に付加されたラインナンバーの情報をそのまま利用するのでＦビットやＶビットの情報を検出する場合に比べて映像信号の垂直ラインナンバーを得るのが容易である。また、実施形態１と同様、一度正常な位相に同期確立した後、伝送エラーの影響を受けずに安定した同期位相を維持することができる。
【００２７】
（実施形態４）
実施形態３で、（１）第１の映像信号と第２の映像信号の位相が水平方向は一致しているが垂直方向は一致していない場合と、（２）ラインナンバー検出回路２１で検出されたラインナンバーの値に伝送エラーがある場合、の２つの場合については、入力映像切り替え後、間違った垂直方向の位相に同期確立してしまうことがある。本実施形態は、これについての対策を施したものである。図１６は実施形態４に係るディジタル映像信号の受信装置の構成図であり、図中、従来例や前述の実施形態と同じ構成要素には同じ符号を与えており、ここではその詳細の説明は省略する。この図より、明らかに垂直同期保護回路２２を除いて前述の実施形態３と同じ構成である。図１７に垂直同期保護回路２２の構成図を示す。この図で、１０はオアゲート、１９は不一致判定回路、２３は入力されたラインナンバーより１つ前のラインナンバーに対応した値を出力するデクリメント回路であり、その他の構成要素は実施形態３の場合と同じである。
【００２８】
次に、上記のように構成された本実施形態のディジタル映像信号の受信装置の動作について以下、図１７、図１８を用いて説明する。送信側から伝送されてきたシリアルディジタル映像信号がパラレルディジタル信号に変換され、水平走査期間毎にＥＡＶ検出回路１０５でＥＡＶが検出されると同時に、ラインナンバー検出回路２１で映像信号に対応したラインナンバーが検出・出力されるまでの動作は実施形態３と同じである。また、入力映像が切り替わったとき、水平位相変化検出回路１０からパルスが出力され、このときラインナンバー検出回路２１から出力されるラインナンバーが垂直カウンタ回路１１２にロードされるので、垂直同期確立の動作そのものは同じである。
【００２９】
以下、前述した理由により、入力映像が切り替わった後、間違った垂直位相に同期確立してしまった場合の動作について、図１８を用いて説明する。図１８は間違った垂直位相に同期確立してしまった直後の本実施形態の垂直同期確立の動作を説明するタイミングチャートである。（ａ）に示すように、入力映像の１９ライン目に当たるＤ点のタイミングで間違った垂直位相に同期確立してしまったとすると、次の２０ライン目では（ｂ）、（ｃ）に示すように入力映像信号から検出されたランナンバーと垂直カウンタ回路１１２の出力の値が不一致となる。
この結果、不一致判定回路１９で両者の値の不一致が検出され、（ｄ）に示すように内部のステータス値であるＫの値が０から１にインクリメントされる。以下、同様に次のラインでも（ｂ）と（ｃ）の比較が行われ、その結果、両者の値の不一致が再び検出され、（ｄ）に示すように不一致の回数をカウントするために内部にもつ変数Ｋの値が１から２にインクリメントされる。この段階で不一致判定回路１９は現在の垂直同期信号の位相が間違っていると判断し、更に次のラインで（ｅ）に示すパルスを出力すると共に、判断結果Ｋの値を再び０にもどす。この時、水平方向の同期位相には何ら変化がないため、水平位相変化検出回路１０からの出力は０のままであり、不一致判定回路１９から１が出力されるため、このときラインナンバー検出回路１２から出力されるラインナンバー２３が垂直カウンタ回路１１２にロードされる。こうして（ａ）に示すように図中Ｅで示すタイミングで再び垂直カウンタ回路１１２の出力値は入力映像信号の対応するラインナンバーに一致する。従って、垂直同期信号は（ｇ）に示すように、一旦間違った垂直位相に同期確立した後、１フレーム以内に正常な位置に同期確立することになる。このように、本実施例によると、入力映像信号を切り換えてから一旦間違った垂直位相に同期確立した場合でも、トータルで最大２フレーム以内で正常な垂直位相に同期確立することができる。また、実施形態３と同様、一度正常な位相に同期確立した後、伝送エラーの影響を受けずに安定した同期位相を維持することができる。
【００３０】
【発明の効果】
以上のように、受信側で受信したディジタル映像信号からその水平及び垂直方向に関する情報を抽出し、これに基づいて動作タイミングが決定されたカウンタの出力値を基に同期信号を生成するように構成しているので、切り替え後高速に新しい同期確立を行うと共に、一度同期確立した後は伝送エラーの影響を受け難く、確立した同期を安定に保持することができる。また、一旦間違った垂直位相に同期確立した場合でも、その直後に高速に正常な垂直位相に再び同期確立することができる。
【図面の簡単な説明】
【図１】本発明の実施形態１に係るディジタル映像信号の受信装置の構成図
【図２】本発明の実施形態１に係る水平同期保護回路の構成図
【図３】本発明の実施形態１に係る垂直同期保護回路の構成図
【図４】本発明の実施形態１に係る水平位相変化検出回路の構成図
【図５】本発明の実施形態１に係る信号切り替え時の水平同期確立の動作を説明するタイミングチャート
【図６】本発明の実施形態１に係る伝送エラー発生時の水平同期確立の動作を説明するタイミングチャート
【図７】本発明の実施形態１に係る水平位相変化検出回路の動作を説明するタイミングチャート
【図８】本発明の実施形態１に係るラインナンバー生成回路の動作を説明するタイミングチャート
【図９】本発明の実施形態１に係わる垂直同期確立の動作を説明するタイミングチャート
【図１０】本発明の実施形態２に係るディジタル映像信号の受信装置の構成図
【図１１】本発明の実施形態２に係る垂直同期保護回路の構成図
【図１２】本発明の実施形態２に係る垂直同期確立の動作を説明するタイミングチャート
【図１３】本発明の実施形態３に係るディジタル映像信号の受信装置の構成図
【図１４】本発明の実施形態３に係る垂直同期保護回路の構成図
【図１５】本発明の実施形態３に係る垂直同期確立の動作を説明するタイミングチャート
【図１６】本発明の実施形態４に係るディジタル映像信号の受信装置の構成図
【図１７】本発明の実施形態４に係る垂直同期保護回路の構成図
【図１８】本発明の実施形態４に係る垂直同期確立の動作を説明するタイミングチャート
【図１９】（ａ）ＳＤＴＶコンポーネントパラレル伝送規格における伝送データの配列を示す図
（ｂ）ＨＤＴＶコンポーネントパラレル伝送規格における伝送データの配列を示す図
【図２０】コンポーネントパラレル伝送規格におけるＥＡＶの第４ワードの配列を示す図
【図２１】従来技術に係わるディジタル映像信号の受信装置の構成図
【図２２】従来技術に係わる水平同期信号生成回路の構成図
【図２３】従来技術に係わる垂直同期信号生成回路の構成図
【図２４】従来技術に係わる水平同期確立の動作を説明するタイミングチャート
【図２５】従来技術に係わる垂直同期確立の動作を説明するタイミングチャート
【符号の説明】
１０５　ＥＡＶ検出回路
１　水平同期保護回路
３、１８、２０、２２　垂直同期保護回路
８　ＦＶビット検出回路
１０　水平位相変化検出回路
１１、１２　ラインナンバー生成回路
１３　エッジ検出回路
４、５、１４　水平カウンタ回路
１９　不一致判定回路
２１　ラインナンバー検出回路
２３　デクリメント回路
１０９　ロード付き水平カウンタ回路
１１０、１１３　パルス生成回路
６、７、１５、１１１、１１４　比較回路
１１２　垂直カウンタ回路
【図１】
2004096612.tif 000003
【図２】
2004096612.tif 000004
【図３】
2004096612.tif 000005
【図４】
2004096612.tif 000006
【図５】
2004096612.tif 000007
【図６】
2004096612.tif 000008
【図７】
2004096612.tif 000009
【図８】
2004096612.tif 000010
【図９】
2004096612.tif 000011
【図１０】
2004096612.tif 000012
【図１１】
2004096612.tif 000013
【図１２】
2004096612.tif 000014
【図１３】
2004096612.tif 000015
【図１４】
2004096612.tif 000016
【図１５】
2004096612.tif 000017
【図１６】
2004096612.tif 000018
【図１７】
2004096612.tif 000019
【図１８】
2004096612.tif 000020
【図１９】
2004096612.tif 000021
【図２０】
2004096612.tif 000022
【図２１】
2004096612.tif 000023
【図２２】
2004096612.tif 000024
【図２３】
2004096612.tif 000025
【図２４】
2004096612.tif 000026
【図２５】
2004096612.tif 000027